(57)【要約】【課題】召合せ部の面外方向の間隔を小さくできる建具とする。【解決手段】枠体１に外障子２と内障子３を取付けた建具において、外障子２の召合せ部材２３に設けた外煙返し片２５を内障子３の室外側面よりもガラス開口３ａ内に面外方向に入り込ませ、前記内障子３の召合せ部材３３に設けた内煙返し片３５をガラス開口３ａ内に面内方向に張り出し、障子閉じ状態で外煙返し片２５と内煙返し片３５が重なり合うようにすることで、前記召合せ部材２３の室内側面２３ａと召合せ部材３３の室外側面３３ａとの間の面外方向の寸法を小さくして召合せ部の面外方向の間隔を小さくする。【選択図】図２
2008163626.tif 000002
【特許請求の範囲】
【請求項１】
外障子の召合せ部材に設けた外煙返し片と内障子の召合せ部材に設けた内煙返し片を重ね合わせることにより障子閉じ状態になる建具であって、
前記外煙返し片と内煙返し片の一方が、内障子と外障子の一方のガラス開口内に面外方向に入り込み、
前記外煙返し片と内煙返し片の他方が、内障子と外障子の一方のガラス開口内に面内方向に張り出したことを特徴とする建具。
【請求項２】
外煙返し片と内煙返し片の一方が面外方向に入り込むガラス開口を形成する他方の召合せ部材を、そのガラス装着用の内向き凹部における煙返し片側の開口端面がその召合せ部材の面内方向の内側面よりも面内方向の外側寄りに位置がずれた形状とし、
前記ガラス開口に入り込んだ一方の煙返し片が、障子閉じ状態で前記他方の召合せ部材の面内方向の内側面及び一方の召合せ部材の面内方向の外側面と面一となるようにした請求項１記載の建具。
【請求項３】
他方の召合せ部材のガラス装着用の内向き凹部とガラスとの間を、室外側シール材、室内側シール材でそれぞれシールし、
その各シール材を内向き凹部の開口端面と面一となるようにした請求項２記載の建具。
【請求項４】
外障子の上框、下框、戸当り框の面内方向の内側面と、枠体の上枠、下枠、縦枠の面内方向の内側面を面一とした請求項１又は２又は３記載の建具。
【請求項５】
外障子の戸当り框を、ガラス装着用の内向き凹部の室内側に張り出し部を有する形状とし、
この張り出し部に引手を取付けると共に、この張り出し部と縦枠とに亘って錠を取付けた請求項１〜４いずれか１項に記載の建具。
【発明の詳細な説明】
【技術分野】
【０００１】
本発明は、外動片引き窓、内動片引き窓、引き違い窓などの枠体に障子を閉じ位置と開き位置に亘って面内方向に移動自在に取付けした建具に関する。
【背景技術】
【０００２】
従来、枠体に外障子と内障子を閉じ位置と開き位置に亘って面内方向に移動自在に取付けた引き違い窓、前述の引き違い窓の内障子を固定して外障子のみが移動する外動片引き窓、前述の引き違い窓の外障子を固定して内障子のみが移動する内動片引き窓等の建具においては、内・外障子が閉じ位置の時に内障子の召合せ部材と外障子の召合せ部材との間の隙間を隠し、防犯、防火を目的として各召合せ部材に煙返し片を設け、この煙返し片を障子閉じ状態で重なり合うようにしてある。
【０００３】
例えば、特許文献１に開示したように、引き違い窓の外障子の召合せ框の室内側面と内障子の召合せ框の室外側面に煙返し片をそれぞれ一体的に設け、外障子、内障子を閉じた時に両方の煙返し片が重なり合うようにしている。
また、特許文献２に開示したように、外動片引き窓の外障子の召合せ框と内障子の召合せ框に煙返し片をそれぞれ一体的に設け、外障子を閉じた時に両方の煙返し片が重なり合うようにしている。
【特許文献１】特許第３５４３２６０号公報
【特許文献２】特許第２７４７８８４号公報
【発明の開示】
【発明が解決しようとする課題】
【０００４】
前述した従来の窓においては、外障子の召合せ框に設けた煙返し片は内障子の召合せ框の室外側面よりも室外側に位置し、内障子の召合せ框に設けた煙返し片は外障子の召合せ框の室内側面よりも室内側に位置している。
要するに、外障子の召合せ框の室内側面と内障子の召合せ框の室外側面との間に各煙返し片が位置している。
このために、外障子の召合せ框の室内側面と内障子の召合せ框の室外側面との間の面外方向の間隔、つまり召合せ部の面外方向の間隔が大きく、外障子と内障子との面外方向の間隔が大きいから、外障子の室外側部が枠体の室外部から室外側に張り出し、内障子の室内側部が枠体の室内部から室内側に張り出すことになる。
このことを解消し、内・外障子を枠体の見込み内に収めるには枠体の面外方向寸法（見込み寸法）を大きくすれば良いが、そのようにすると他の窓と連窓とすることができなくなるし、コスト高となる。
【０００５】
本発明は、召合せ部の面外方向の間隔を小さくできるようにした建具とすることを目的とする。
【課題を解決するための手段】
【０００６】
本発明は、外障子の召合せ部材に設けた外煙返し片と内障子の召合せ部材に設けた内煙返し片を重ね合わせることにより障子閉じ状態になる建具であって、
前記外煙返し片と内煙返し片の一方が、内障子と外障子の一方のガラス開口内に面外方向に入り込み、
前記外煙返し片と内煙返し片の他方が、内障子と外障子の一方のガラス開口内に面内方向に張り出したことを特徴とする建具である。
【０００７】
本発明においては、外煙返し片と内煙返し片の一方が面外方向に入り込むガラス開口を形成する他方の召合せ部材を、そのガラス装着用の内向き凹部における煙返し片側の開口端面がその召合せ部材の面内方向の内側面よりも面内方向の外側寄りに位置がずれた形状とし、
前記ガラス開口に入り込んだ一方の煙返し片が、障子閉じ状態で前記他方の召合せ部材の面内方向の内側面及び一方の召合せ部材の面内方向の外側面と面一となるようにできる。
このようにすれば、障子閉じ状態でガラス開口に入り込んだ煙返し片と一方の召合せ部材の面内方向の外側面と他方の召合せ部材の面内方向の内側面が凹凸の無い平坦面として連続するので、その部分の見栄えが良い。
【０００８】
本発明においては、前述のようにした場合に、その他方の召合せ部材のガラス装着用の内向き凹部とガラスとの間を、室外側シール材、室内側シール材でそれぞれシールし、
その各シール材を内向き凹部の開口端面と面一となるように装着できる。
このようにすれば、湿式のシール材を用いて開口端面を基準として容易に装着することができる。
【０００９】
本発明においては、外障子の上框、下框、戸当り框の面内方向の内側面と、枠体の上枠、下枠、縦枠の面内方向の内側面を面一にできる。
このようにすれば、上框の内側面と上枠の内側面、下框の内側面と下枠の内側面、戸当り框の内側面と縦枠の内側面がそれぞれ凹凸の無い平坦面として見えるから、見栄えが良い。
【００１０】
本発明においては、外障子の戸当り框を、ガラス装着用の内向き凹部の室内側に張り出し部を有する形状とし、
この張り出し部に引手を取付けると共に、この張り出し部と縦枠とに亘って錠を取付けできる。
このようにすることで、引手と錠を簡単に取付けできる。
【発明の効果】
【００１１】
本発明によれば、外煙返し片と内煙返し片の一方が、一方の障子のガラス開口内に面外方向に入り込んでいるので、その入り込んだ面外方向の寸法に相当する分だけ召合せ部の面外方向の隙間を小さくできる。
したがって、枠体の見込み寸法を大きくせずに外障子、内障子を枠体の見込み内に収めることが可能である。
【発明を実施するための最良の形態】
【００１２】
図１〜図４に示すように、枠体１の室外側寄りに外障子２、室内側寄りに内障子３が設けてある。
この実施の形態では、外障子２を閉じ位置と開き位置とに亘って面内方向に移動自在に枠体１に取付け、内障子３は枠体１に固定して取付けることで、外動片引き窓としてある。
前記枠体１は上枠１０と下枠１１と左右の縦枠１２で方形状である。
前記外障子２は上框２０と下框２１と戸当り框２２と召合せ部材２３を方形状に連結し、その内部にガラス２４が装着してある。
【００１３】
前記内障子３は上框３０と下框３１と戸当り框３２と召合せ部材３３を方形状に連結し、その内部にガラス３４が装着してある。
前述の説明において、開閉移動する障子（外障子２）の場合には召合せ部材は召合せ框と呼ばれ、固定した障子（内障子３）の場合には召合せ部材は召合せ縦骨と呼ばれるので、両者を総称して召合せ部材とした。
この実施の形態では、上框３０は上枠１０と一体で、下框３１は下枠１１と一体で、戸当り框３２は縦枠１２と一体である。
例えば、図３、図４に示すように上枠１０の室内側寄りに下向き凹部１３を長手方向に連続して形成し、その下向き凹部１３の面内方向一側寄り部分を内障子３の上框３０とし、その下向き凹部１３の面内方向他側寄りは覆い材１４で閉塞されている。
前記下枠１１の室内側寄りに上向き凹部１５を長手方向に連続して形成し、その上向き凹部１５の面内方向一側寄り部分を内障子３の下框３１とし、その下向き凹部１５の面内方向他側寄りは覆い片１６で閉塞されている。
前記一方の縦枠１２の室内側寄りに押縁１７を取付けて凹部１８とし、その凹部１８を内障子３の戸当り框３２としている。
なお、内障子３の上框３０、下框３１、戸当り框３２を枠体１とは別体としても良いことは勿論である。
【００１４】
前記外障子２の召合せ部材２３には外煙返し片２５が設けてある。
前記内障子３の召合せ部材３３には内煙返し片３５が設けてある。
そして、外障子２を閉じ位置として障子を閉じ状態とすると外煙返し片２５と内煙返し片３５が面外方向に重なり合うようにしてある。
これによって、外障子２の召合せ部材２３と内障子３の召合せ部材３３との間、つまり召合せ部の隙間を隠し、防犯、防火している。
【００１５】
前記外煙返し片２５と内煙返し片３５の一方が、内障子３のガラス開口３ａと外障子２のガラス開口２ａの一方に面外方向に入り込んでいる。
前記外煙返し片２５と内煙返し片３５の他方が、前記一方のガラス開口内に面内方向に張り出している。
これによって、外障子２の召合せ部材２３の室内側面２３ａと内障子３の召合せ部材３３の室外側面３３ａとの間の面外方向の間隔、つまり召合せ部の面外方向の間隔が前述の煙返し片の入り込んだ面外方向の寸法に相当する分だけ小さく、外障子２を室内側寄り、内障子３を室外寄りとして枠体１の見込み内に収めて室外側、室内側に張り出すことがないようにできる。
【００１６】
この実施の形態では、外煙返し片２５が内障子３の召合せ部材３３の室外側面３３ａよりも室内側に突出して内障子３のガラス開口３ａ内に面外方向に入り込んでいる。
つまり、内障子３の各框、召合せ部材の内側面でガラス開口３ａを形成し、その各框、召合せ部材の室外側面で障子室外側面３ｂを形成し、この障子室外側面３ｂよりもガラス室外側面３４ａが室内側寄りである。
そして、外煙返し片２５は障子室外側面３ｂよりもガラス室外側面３４ａ寄りに位置してガラス開口３ａ内に面外方向に入り込んでいる。
前記外煙返し片２５は召合せ部材２３に一体的に設けてあるので、その外煙返し片２５の上部と下部を切断して除去し、その外煙返し片２５の上下長さを内障子３のガラス開口３ａの上下寸法より小さくしてある。
【００１７】
前記内障子３の召合せ部材３３に設けた内煙返し片３５は、内障子３のガラス開口３ａ内に面内方向に張り出している。
これによって、外障子２を閉じ位置として障子閉じ状態とした時に、内障子３のガラス開口３ａ内に入り込んでいる外煙返し片２５が内煙返し片３５と重なり合うことができる。
【００１８】
前記内障子３の召合せ部材３３はガラス取付用の内向き凹部３６を有している。この内向き凹部３６にガラス３４が挿入されて室外側シール材３７と室内側シール材３８でシールされている。
この内向き凹部３６は戸当り框３２に向けて開口していると共に、その室内側開口端面３６ａが召合せ部材３３の面内方向の内側面で、室外側開口端面３６ｂが煙返し片側の開口端面である。
前記室外側開口端面３６ｂは室内側開口端面３６ａよりも面内方向外側寄り（召合せ部材３３の面内方向の外側面３３ｂ寄り）に位置し、前記室外側シール材３７は室内側シール材３８よりも面内方向外側寄りに位置している。
前記内煙返し片３５は前記室外側開口端面３６ｂよりも面内方向の内側に突出してガラス開口３ａ内に面内方向に張り出し、かつ前記室内側開口端面３６ａよりも面内方向の内側に突出しないようにしてある。
前記外煙返し片２５は外障子２の召合せ部材２３の面内方向の外側面２３ｂと面一に連続し、外障子２が閉じ位置の時に前記内向き凹部３６の室外側開口端面３６ｂと対向し、その外煙返し片２５は内向き凹部３６の室内側開口端面３６ａと面内方向に同一位置である。
【００１９】
これによって、障子閉じ状態で外障子２の召合せ部材２３の外側面２３ｂと外煙返し片２５と内障子３の召合せ部材３３の内側面（３６ａ）が面一に連続し、室内及び室外から見た時に凹凸の無い平坦面に見えるから、見栄えが良い。
また、室外側シール材３７、室内側シール材３８が湿式のシール材であっても室内側開口端面３６ａ、室外側開口端面３６ｂを基準として容易に装着することができる。
【００２０】
また、図２に示すように外障子２の召合せ部材２３の面内方向の内側面２３ｃ（ガラス装着用の凹部の開口端面）と内障子３の召合せ部材３３の外側面３３ｂが面内方向に面一としてある。
また、外障子２の戸当り框２２の面内方向の内側面２２ａ（ガラス装着用の凹部の開口端面）と縦枠１２の室内側内側面１２ａが面内方向に面一としてある。
このようであるから、見栄えが良い。
【００２１】
前記外障子２の各框、召合せ部材の室外側面２０ａ，２１ａ，２２ｂ，２３ｄが枠体１の室外側面１ａと面外方向に面一である。
前記外障子２の上框２０、下框２１の面内方向の内側面２０ｂ，２１ｂ（ガラス装着用の凹部の開口端面）は、上枠１０、下枠１１の面内方向の内側面１０ａ，１１ａと面内方向に面一である。
これによって、外障子２を室外、室内から見た時に上下が凹凸の無い平坦面として見え、見栄えが良い。
【００２２】
前記外障子２の戸当り框２２の室内外側方向の寸法（見込み寸法）は枠体１の見込み寸法とほぼ同様で、ガラス装着用の凹部２６の室内側に張り出し部２７を有している。
この張り出し部２７に引手４０が取付けてあると共に、その張り出し部２７と縦枠１２とに亘って錠４１が取付けてある。
前記引手４０は張り出し部２７にビス等で固着して取付けられ、その引手４０を手で持って外障子２を開閉移動する。
前記錠４１は、縦枠１２に取付けた錠受け４１ａと、張り出し部２７に設けた摘み４１ｂと、錠杆（例えば、カマ）４１ｃを備え、その摘み４１ｂを上下に移動操作することで錠杆４１ｃが錠受け４１ａに係脱して施錠、解錠するようにしてある。
このようであるから、戸当り框２２のガラス装着部よりも室内側に張り出した張り出し部２７に引手４０、錠４１を取付けるので、その取付けが容易である。
【００２３】
要するに、この実施の形態によれば各召合せ部材２３，３３の面内方向の外側面、内側面及び、外障子２の戸当り框２２の内側面２２ａと縦枠１２の内側面１２ａ並びに、外障子２の上框２０、下框２１の内側面２０ｂ，２１ｂと上枠１０、下枠１１の内側面１０ａ，１１ｂがそれぞれ面一であるから、室内、室外から見た時に凹凸の無い平坦面として見え、見栄えが良い。
【００２４】
前述の実施の形態では外煙返し片２５を内障子３のガラス開口３ａ内に面外方向に入り込ませたが、内煙返し片３５を外障子２のガラス開口２ａ内に面外方向に入り込ませるようにしても良い。
例えば、図５に示すように内障子３の召合せ部材３３の外側面３３ｂ寄りに内煙返し片３５を設け、その内煙返し片３５を外障子２のガラス開口２ａ内に面外方向に入り込ませる。
前記外煙返し片２５を外障子２のガラス開口２ａ内に面内方向に張り出しする。
【００２５】
この場合においても前述と同様に、外障子２の召合せ部材２３のガラス装着用の内向き凹部２８の室外側開口端面２８ａよりも室内側開口端面２８ｂを面内方向の外側寄りに位置させ、外煙返し片２５を室内側開口端面２８ｂよりも面内方向の内側に突出させてガラス開口２ａ内に面内方向に張り出しすると共に、前記室外側開口端面２８ａよりも面内方向の外側に位置するようにする。
【００２６】
以上の実施の形態では、外動片引き窓として説明したが、内障子３が移動し外障子２が固定された内動片引き窓、外障子２、内障子３の両方が移動する引き違い窓、固定された障子の左右両側に移動する障子を取付けた両袖片引き窓、上げ下げ窓などにも適用できることは勿論である。
【図面の簡単な説明】
【００２７】
【図１】本発明の実施の形態を示す外動片引き窓の内観図である。
【図２】図１のＡ−Ａ断面図である。
【図３】図１のＢ−Ｂ断面図である。
【図４】図１のＣ−Ｃ断面図である。
【図５】本発明の第２の実施の形態を示す召合せ部の横断面図である。
【符号の説明】
【００２８】
１…枠体、２…外障子、２ａ…ガラス開口、３…内障子、３ａ…ガラス開口、１０…上枠、１１…下枠、１２…縦枠、２０…上框、２１…下框、２２…戸当り框、２３…召合せ部材、２３ａ…室内側面、２３ｂ…面内方向の外側面、２３ｃ…面内方向の内側面、２４…ガラス、２５…外煙返し片、２６…内向き凹部、２７…張り出し部、３０…上框、３１…下框、３２…戸当り框、３３…召合せ部材、３３ａ…室外側面、３３ｂ…面内方向の内側面、３４…ガラス、３５…内煙返し片、３６…内向き凹部、３６ａ…室内側開口端面（面内方向の内側面）、３６ｂ…室外側開口端面（煙返し側の開口端面）、３７…室外側シール材、３８…室内側シール材、４０…引手、４１…錠。
【図１】
2008163626.tif 000003
【図２】
2008163626.tif 000004
【図３】
2008163626.tif 000005
【図４】
2008163626.tif 000006
【図５】
2008163626.tif 000007